(57)【特許請求の範囲】
【請求項１】
左右の支持パイプを上下方向にスライド可能に備えたハードル本体と、上記左右の支持パイプの上端に屈曲可能なワイヤーを介して三次元的全方向に回動可能に取り付けられた左右のバー部材と、を具備したことを特徴とする練習用ハードル。
【請求項２】
請求項１記載の練習用ハードルにおいて、上記左右のバー部材は、ワイヤーに任意の張力を作用させた状態で取り付けられていることを特徴とする練習用ハードル。
【請求項３】
請求項２記載の練習用ハードルにおいて、バー部材のワイヤーとの連結部にコイルスプリングを内装し、該コイルスプリングの圧縮状態を適宜調整することにより、ワイヤーに作用する張力ひいてはバー部材の復帰力を調整するようにしたことを特徴とする練習用ハードル。
【請求項４】
請求項１乃至請求項３のいずれか一に記載の練習用ハードルにおいて、バー部材は、その外周にプロテクトラバーを備えていることを特徴とする練習用ハードル。
【発明の詳細な説明】
【０００１】
【産業上の利用分野】
本発明は、例えば、小学校におけるハードル競争の体育授業やハードル競争選手の初級者の練習に適した練習用ハードルに係り、とくに、ハードリング時に足が当たるとハードルバーが前方に揺動するように構成されたものの改良に関する。
【０００２】
【従来の技術】
陸上競技には、１００メートル競走やマラソンといったものの他に、ハードル競争等の障害走がある。ハードル競争は、複数個のハードルを走路上に一定間隔を存した状態で設置し、競技者がこれら複数個のハードルを順次走りながら跨いでいき、その際のタイムを競う競技である。この種のハードル競争においては、ハードルを跨ぐハードリング技術が極めて重要に意味をもつとされている。
【０００３】
ところで、競技用ハードルは概略次のような構成になっている。まず、左右のＬ字パイプを横パイプで連結し、両Ｌ字パイプ上端に支持パイプをスライド可能に取り付け、両者の係止孔にストッパを挿入してハードル本体を構成する。そして、上記左右両支持パイプの上端間に木製のハードルバーを取り付けて構成されている。
【０００４】
又、小学校においては、学校教育として、高学年の児童に対して、ハードル競争の体育授業が実施されている。しかし、そこでは、既に説明した競技用ハードルが使用されているので、児童が始めてハードル競争の授業を受ける場合には、足をハードルバーに引っ掛け易く、それによって、痛みを感じることは勿論のこと、児童がハードルと共に転倒して怪我をしてしまうことが心配されていた。又、そのようなことが、児童に恐怖心を与えることにもなっていた。
【０００５】
そこで、既に説明した競技用ハードルにおいて、左右のＬ字状パイプの折曲部に丸みを持たせて前方に倒れ易い形状とし、児童がハードルバーに足を引っ掛けたような場合には、ハードルのみが前方に倒れるように工夫したものが提案されている。
しかしながら、それでは不十分であり、足腰の筋肉が未発達の児童にとっては、ハードルの転倒に伴って転倒し易く、決して安全であるとはいえなかった。
【０００６】
そこで、次のような練習用ハードルが提案されている。その構成を図６を参照して説明する。図６は、練習用ハードルの構成を示す全体斜視図であり、まず、左右のＬ字パイプ１０１、１０１がある。上記Ｌ字パイプ１０１、１０１は、その折曲部１０１ａ、１０１ａが、横パイプ１０３によって連結されている。又、Ｌ字パイプ１０１、１０１には、支持パイプ１０５、１０５が上下方向にスライド可能に挿入されている。又、Ｌ字パイプ１０１、１０１の上端部には図示しない係止孔が穿孔されているとともに、上記支持パイプ１０５、１０５にも図示しない係止孔が穿孔されている。そして、ストッパ１０７を差し込むことにより、支持パイプ１０５、１０５が所定の高さ位置に固定される。
【０００７】
上記支持パイプ１０５、１０５の上端部には、木製の取付基部１０９、１０９が固定されていて、これら取付基部１０９、１０９の内端面には、バー部材１１１、１１１の外端面が蝶番１１３、１１３を介して取付けられている。つまり、バー部材１１１、１１１は、夫々蝶番１１３、１１３を介して、水平方向前方に揺動可能な状態で取付けられている。又、上記蝶番１１３には、図示しないコイルスプリングが取付けられていて、バー部材１１１、１１１を常時後方（図６の反矢印方向）に付勢している。
【０００８】
上記構成において、例えば、児童が競技中に足をバー部材１１１、１１１に引っ掛けると、バー部材１１１、１１１は、コイルスプリングの付勢力に抗して、蝶番１１３、１１３を介して、前方に揺動することになる。つまり、バー部材１１１、１１１が前方に向かって観音開き状に開くことになる。よって、ハードルは転倒することはなく、又、児童は大きな抵抗を感じることなくそのまま走り抜けることができる。児童が走り抜けた後は、バー部材１１１、１１１は、コイルスプリングの復帰力によって、図６に示すような元の状態に復帰する。
【０００９】
【発明が解決しようとする課題】
上記従来の構成によると次のような問題があった。即ち、バー部材１１１、１１１は蝶番１１３、１１３を介して、前方に揺動可能に構成してあるから、足がバー部材１１１、１１１に引っ掛かった場合の安全性は高まったが、それでも不十分であった。
例えば、児童の足がバー部材１１１、１１１に当たる場合には、前方のみに向かって当たることは稀であり、厳密に言えば、斜め下方から斜め上方に向かって当たるのが通例である。しかしながら、上記した練習用ハードルは、バー部材１１１、１１１が水平方向前方にのみ揺動するだけであって、足の引っ掛かり方向とは一致しておらず、そのため、バー部材１１１、１１１が都合良く揺動しないのである。また、バー部材１１１に足が衝突した時にある程度の衝撃があり、足腰の筋肉が未発達の児童にとっては、未だ安全であるとはいえなかったのである。
【００１０】
本発明はこのような点に基づいてなされたものでその目的とするところは、例えば、児童が使用する際、児童が足をバー部材に引っ掛けた場合にも、充分な安全性を確保することができる練習用ハードルを提供することにある。
【００１１】
【課題を解決するための手段】
上記目的を達成するべく本願発明によるセバレートハードルは、左右の支持パイプを上下方向にスライド可能に備えたハードル本体と、上記左右の支持パイプの上端に屈曲可能なワイヤーを介して三次元的全方向に回動可能に取り付けられた左右のバー部材と、を具備したことを特徴とするものである。
その際、上記左右のバー部材を、ワイヤーに任意の張力を作用させた状態で取り付けることが考えられる。
又、バー部材のワイヤーとの連結部にコイルスプリングを内装し、該コイルスプリングの圧縮状態を適宜調整することにより、ワイヤーに作用する張力ひいてはバー部材の復帰力を調整することが考えられる。
又、バー部材を、その外周にプロテクトラバーを備えているものとすることが考えられる。
【００１２】
【作用】
すなわち、本願発明による練習用ハードルは、バー部材を、屈曲可能なワイヤーを介して、三次元的全方向に回動可能な状態で、ハードル本体に取り付けたのである。よって、使用時に足がバー部材にどのような方向から衝突しても、バー部材は都合良く回動することになり、安全性が大幅に向上することになる。
その際、ワイヤーに適宜な張力を作用させた状態で取り付けることが考えられ、該張力がバー部材の復帰力を左右することになる。
又、上記張力をコイルスプリングの圧縮力によって発生させるようにし、その際、該圧縮力を調整することにより、張力ひいては復帰力を調整することが考えられる。
【００１３】
【実施例】
以下、図１乃至図５を参照して本発明の一実施例を説明する。まず、図１及び図２を参照してその全体の構成を説明する。まず、左右のＬ字パイプ１、１があり、これらＬ字パイプ１、１は、地面に接地される接地部１ａと、そこから折曲部１ｂを介して上方に立設した立設部１ｃとから構成されている。上記Ｌ字パイプ１、１の折曲部１ｂ、１ｂは、横パイプ３を介して連結されている。
【００１４】
上記Ｌ字パイプ１、１の立設部１ｃ、１ｃには、支持パイプ５、５が上下方向にスライド可能に取付けられている。上記支持パイプ５、５には、上下方向に所定のピッチで図示しない係止孔が穿孔されていて、又、立設部１ｃ、１ｃ側には夫々所定の位置に係止孔１ｄが穿孔されている。そして、支持パイプ５、５を立設部１ｃ、１ｃに被冠させて、所定のレベルにセットし、その状態で、両者の係止孔にストッパ７を差し込むことにより、支持パイプ５、５を所望のレベルに取付・固定する。
尚、図５では、左右の支持パイプ５、５のレベルを異ならせた状態を示しており、本願練習用ハードルはこのような状態でも使用できる。しかし、図１に示すように、左右の支持パイプ５、５のレベルを同一に調整して使用することができるのは勿論である。
【００１５】
上記支持パイプ５、５の上端には、取付基部９、９を介して、左右のバー部材１１、１１が三次元的全方向に回動可能に取付けられている。上記取付基部９は、図３に示すような構成になっている。まず、ジョイントパイプ１３があり、このジョイントパイプ１３は、支持パイプ５の上端に固定されている。上記ジョイントパイプ１３の図３中右側にはジョイントブッシュ１５が移動可能に取り付けられている。又、図３中左側にはアジャストリング１７が取り付けられている。
【００１６】
上記ジョイントパイプ１３内には、ワイヤーテンショナ１９が同心に挿入・配置されていて、このワイヤーテンショナ１９には雄螺子部１９ａが形成されている。ワイヤーテンショナ１９の左端は、アジャストリング１７を挿通して突出・配置されていて、そこに、摘み部材２１が取り付けられている。該摘み部材２１とアジャストリング１７との間には、ロックナット２３が介挿されている。
【００１７】
一方、ジョイントブッシュ１５の外周には、既に述べたバー部材１１が被冠・固定されている。このバー部材１１は、アルミニウム製のパイプ２４と、該パイプ２４の外周に取付けられた緩衝用のプロテクトラバー２５とから構成されている。そして、パイプ２４によりバー部材１１としての強度を維持し、プロテクトバー２５によって、使用者の怪我を防止するようにしている。上記バー部材１１の中空部１１ａの所定箇所には、ワイヤーストッパ２７が装着されていて、このワイヤストッパ２７とジョイントブッシュ１５との間には、コイルスプリング２９が内装されている。又、既に説明したワイヤーテンショナ１９の図３中右端部１９ｂにはワイヤー３１が取付けられていて、このワイヤー３１は、上記ワイヤーストッパ２７を貫通する位置まで延長されている。
【００１８】
次に、各部の調整について説明する。まず、バー部材１１は、既に説明したように、ワイヤ３１が三次元的全方向に屈曲されることにより、三次元的全方向に回動可能な構成になっている。又、摘み部材２１を掴んだ状態でアジャストリング１７を適宜の方向に回転させると、ワイヤーテンショナ１９が左右何れかの方向に移動する。それによって、ワイヤ３１がワイヤーストッパ２７と共に同方向に移動し、それによつて、コイルスプリング２９の蓄圧力が調整されることになる。つまり、アジャストリング１７を一方向に回転させて、ワイヤーテンショナ１９を図３中左側に移動させると、ワイヤ３１がワイヤーストッパ２７と共に図中左側に移動し、それによって、コイルスプリング２９がより圧縮されての蓄圧力が高くなる（図３Ａ）。反対に、アジャストリング１７を他方向に回転させて、ワイヤーテンショナ１９を図３中右側に移動させると、ワイヤ３１がワイヤーストッパ２７と共に図中右側に移動し、それによって、コイルスプリング２９の圧縮が緩和されて蓄圧力が低くなる（図３Ｂ）。そして、コイルスプリング２９がより圧縮されて蓄圧力が高くなると、回動したバー部材１１の復帰力が強くなり、逆に、コイルスプリング２９の圧縮が緩和されて蓄圧力が低くなると、回動したバー部材１１の復帰力が弱くなる。
【００１９】
以上の構成を基にその作用を説明する。上記したような調整を完了した状態で使用すると、通常時には、図４に２点鎖線で示すような状態にある。これに対して、使用者例えば児童の足がバー部材１１に引っ掛かった場合には、バー部材１１は、例えば、ワイヤー３１が斜め上方に屈曲することにより、図４に実線で示すように、斜め上方に回動する。よって、児童はそのまま走り抜けることができる。又、斜め上方に回動したバー部材１１は、コイルスプリング２９のスプリング力と、ワイヤー３１の復帰力によって、図４に２点鎖線で示す元の状態に復帰する。
バー部材１１は、ワイヤー３１を介して、三次元的全方向に回動可能になっているので、バー部材に対する足の衝突方向にかかわらず、バー部材１１は無理なくその方向に回動することになる。つまり、従来のように、単に、蝶番を介して、水平方向前方に向かって揺動可能にした場合に比べて、何ら無理なく回動するので、児童の足に対する衝撃も大幅に緩和されるとともに、バー部材１１の回動も円滑に行われることになる。
【００２０】
以上本実施例によると次のような効果を奏することができる。すなわち、従来のように、バー部材を蝶番を介して前方に揺動可能に取り付けただけの構成に対して、本実施例のバー部材１１、１１は、ワイヤー３１、３１の屈曲によって三次元的全方向に回動可能に構成されているので、その回動動作がより円滑なものとなり、よって、練習時児童の足が引っ掛かった場合の安全性もより高まることになる。
又、コイルスプリング２９の蓄圧力を適宜調整することにより、バー部材１１、１１の復帰力を調整できるので、使い勝手が良好である。
又、バー部材１１は、外側にプロテクトラバー２５を備えているので、児童の足が衝突した場合の衝撃を緩和させることができる。
【００２１】
尚、本発明は前記一実施例に限定されるものではない。例えば、ワイヤーの張力を調整するための構成は図示したものに限定されず、公知の様々な構成のものが考えられる。
【００２２】
【発明の効果】
以上詳述したように本発明による練習用ハードルによると、バー部材は、ワイヤーの屈曲によって三次元的全方向に回動可能に構成されているので、その回動動作がより円滑なものとなり、よって、使用者の足が引っ掛かった場合の安全性もより高まることになる。
又、コイルスプリングの蓄圧力を適宜調整することによりワイヤーの張力を調整可能にした場合には、バー部材の復帰力を調整できるので、使いがっても良好なものとなる。
又、バー部材の外側にプロテクトラバーを設けた場合には、使用者の足が衝突した場合の衝撃を緩和させることができる。
【図面の簡単な説明】
【図１】本発明の一実施例を示す図で、練習用ハードルの構成を示す正面図である。
【図２】本発明の一実施例を示す図で、練習用ハードルの構成を示す側面図である。
【図３】本発明の一実施例を示す図で、図１のＩＩＩ  部を拡大して示す断面図である。
【図４】本発明の一実施例を示す図で、バー部材の回動時の様子を示す断面図である。
【図５】本発明の一実施例を示す図で、他の使用例を示す正面図である。
【図６】従来例を示す図で、練習用ハードルの構成を示す斜視図である。
【符号の説明】
１  Ｌ字ハイプ
３  横パイプ
５  支持パイプ
９  取付基部
１１  バー部材
２９  コイルスプリング
３１  ワイヤー
【図１】
0003600967.tif 000002
【図２】
0003600967.tif 000003
【図３】
0003600967.tif 000004
【図４】
0003600967.tif 000005
【図５】
0003600967.tif 000006
【図６】
0003600967.tif 000007